(57)【要約】      （修正有）【課題】記憶可能な情報量を増加するために、ケースと、トレー装置と、を備えるサーバーを提供する。【解決手段】ケース１０１は、一対の上部レール１２０、及び内壁に位置する一対の下部レール１３０を有する。トレー装置１４０は、一対の上部レール及び一対の下部レールに摺動可能に連結され、更に、選択的にケースに対して取り出し方向に沿って第１の取り出し位置に摺動し、又は引き戻し方向に沿って第１の引き戻し位置に摺動するように第１グループの記憶装置１７０を載置する第１の載置部１５０と、第２の載置部１６０と、を含む。【選択図】図４
2015135654.tif 000002
【特許請求の範囲】
【請求項１】
一対の上部レール、及び内壁に位置する一対の下部レールを有するケースと、
前記一対の上部レール及び前記一対の下部レールに摺動可能に連結され、更に、選択的に前記ケースに対して取り出し方向に沿って第１の取り出し位置に摺動し、又は引き戻し方向に沿って第１の引き戻し位置に摺動するように第１グループの記憶装置を載置する第１の載置部と、前記第１の載置部に摺動可能に連結され、更に、選択的に前記第１の載置部に対して前記取り出し方向に沿って第２の取り出し位置に摺動し、又は前記引き戻し方向に沿って第２の引き戻し位置に摺動するように第２グループの記憶装置を載置する第２の載置部と、を含むトレー装置と、
を備え、
前記第１の載置部が前記第１の取り出し位置に位置し、且つ前記第２の載置部が前記第２の取り出し位置に位置する場合、前記トレー装置が展開状態になり、前記トレー装置が前記展開状態になる場合、前記第１及び第２の載置部の全体が前記ケース外に位置し、前記第１の載置部と前記第２の載置部の間の距離が前記第１グループの記憶装置の長さより大きく、
前記第１の載置部が前記第１の引き戻し位置に位置し、且つ前記第２の載置部が前記第２の引き戻し位置に位置する場合、前記トレー装置が収納状態になり、前記トレー装置は前記収納状態になる場合、前記第１及び第２の載置部の全体が前記ケース内に位置し、前記第１の載置部と前記第２の載置部の間の距離が前記第１グループの記憶装置の長さより小さいサーバー。
【請求項２】
前記第１の載置部と前記第２の載置部のそれぞれの摺動方向は、互いに平行である請求項１に記載のサーバー。
【請求項３】
前記第１の載置部は、前記一対の上部レールに摺動可能に連結される一対の上部連結側板、及び前記一対の下部レールに摺動可能に連結される一対の下部連結側板を有する請求項１に記載のサーバー。
【請求項４】
前記第２の載置部は、前記一対の上部連結側板に摺動可能に連結される一対の摺動ロッド、及び前記一対の下部連結側板の内側に摺動可能に連結される一対の内側レールを有する請求項３に記載のサーバー。
【請求項５】
前記摺動ロッドは、ストリップスロットを有し、前記上部連結側板のネジが前記ストリップスロット内で摺動しており、前記第２の載置部が前記第２の取り出し位置に位置する場合、前記ネジが前記ストリップスロットの一端に突き当たる請求項４に記載のサーバー。
【請求項６】
前記第１の載置部は、１列の冷却ファンを有し、前記第１の載置部が前記第１の取り出し位置に位置する場合、前記１列の冷却ファンが前記ケースの辺縁と揃う請求項１に記載のサーバー。
【請求項７】
前記第１及び第２の載置部は、それぞれ、複数の収納溝を含み、前記の第１グループ及び第２グループの記憶装置が、対応する前記収納溝の中に抜き取り可能に収納される請求項２に記載のサーバー。
【請求項８】
前記第１グループ及び第２グループの記憶装置の対応する前記収納溝に対する抜き取り方向は、前記第１及び第２の載置部が前記ケースに対する前記摺動方向と互いに平行である請求項７に記載のサーバー。
【請求項９】
前記第１グループ及び第２グループの記憶装置は、ソリッドステートディスク又はハードディスクである請求項１に記載のサーバー。
【請求項１０】
前記第１グループ及び第２グループの記憶装置に電気的に接続されるマザーボードを更に備える請求項１に記載のサーバー。
【発明の詳細な説明】
【技術分野】
【０００１】
本発明は、サーバーに関し、特に、トレー装置を有するサーバーに関する。
【背景技術】
【０００２】
従来のサーバーには、記憶可能な情報量を増加するために、大量のハードディスクを同時に取り付ける必要がある。従来のサーバーは、１列のハードディスクを有し、１つのマザーボードに合わせて、１列のハードディスクを制御する。１つのサーバーに取り付けるハードディスクの数を増加しようとする場合、さらに１列のハードディスクを増加する必要がある。１列のハードディスクが増設された場合、ハードディスクの補修や交換をする必要が生じると、前後列のハードディスクが互いに干渉して、補修上、不便になる。前後列のハードディスクの間に一定のスペースを保持すれば、サーバーの体積が大きすぎることとなり、スペースコストが増加し、更に若干の欠点がある。
【発明の概要】
【課題を解決するための手段】
【０００３】
従って、本発明の目的は、一対の上部レール、及び内壁に位置する一対の下部レールを有するケースと、上記一対の上部レール及び上記一対の下部レールに摺動可能に連結され、更に、選択的に上記ケースに対して取り出し方向に沿って第１の取り出し位置に摺動し、又は引き戻し方向に沿って第１の引き戻し位置に摺動するように第１グループの記憶装置を載置する第１の載置部と、上記第１の載置部に摺動可能に連結され、更に、選択的に上記第１の載置部に対して上記取り出し方向に沿って第２の取り出し位置に摺動し、又は上記引き戻し方向に沿って第２の引き戻し位置に摺動するように第２グループの記憶装置を載置する第２の載置部と、を含むトレー装置と、を備え、上記第１の載置部が上記第１の取り出し位置に位置し、且つ上記第２の載置部が上記第２の取り出し位置に位置する場合、上記トレー装置が展開状態になり、上記トレー装置が上記展開状態になる場合、上記第１及び第２の載置部の全体が上記ケース外に位置し、上記第１の載置部と上記第２の載置部の間の距離が上記第１グループの記憶装置の長さより大きく、また、上記第１の載置部が上記第１の引き戻し位置に位置し、且つ上記第２の載置部が上記第２の引き戻し位置に位置する場合、上記トレー装置が収納状態になり、上記トレー装置は上記収納状態になる場合、上記第１の載置部と上記第２の載置部の全体が上記ケース内に位置し、上記第１の載置部と上記第２の載置部の間の距離が上記第１グループの記憶装置の長さＬより小さいサーバーを提供する。
【０００４】
本発明の別の実施例によれば、上記第１の載置部と上記第２の載置部のそれぞれの摺動方向は、互いに平行である。
【０００５】
本発明の別の実施例によれば、上記第１の載置部は、上記一対の上部レールに摺動可能に連結される一対の上部連結側板、及び上記一対の下部レールに摺動可能に連結される一対の下部連結側板を有する。
【０００６】
本発明の別の実施例によれば、上記第２の載置部は、上記一対の上部連結側板に摺動可能に連結される一対の摺動ロッド、及び上記一対の下部連結側板の内側に摺動可能に連結される一対の内側レールを有する。
【０００７】
本発明の別の実施例によれば、上記摺動ロッドは、ストリップスロットを有し、上記上部連結側板のネジが上記ストリップスロット内で摺動しており、上記第２の載置部が上記第２の取り出し位置に位置する場合、上記ネジが上記ストリップスロットの一端に突き当たる。
【０００８】
本発明の別の実施例によれば、上記第１の載置部は、１列の冷却ファンを有し、上記第１の載置部が上記第１の取り出し位置に位置する場合、上記冷却ファンが上記ケースの辺縁と揃う。
【０００９】
本発明の別の実施例によれば、上記第１及び第２の載置部のそれぞれは、複数の収納溝を含み、上記第１グループ及び第２グループの記憶装置が対応する収納溝の中に抜き取り可能に収納される。
【００１０】
本発明の別の実施例によれば、上記第１グループ及び第２グループの記憶装置の対応する収納溝に対する抜き取り方向は、第１及び第２の載置部がケースに対する摺動方向と互いに平行である。
【００１１】
本発明の別の実施例によれば、上記第１グループ及び第２グループの記憶装置は、ソリッドステートディスク又はハードディスクである。
【００１２】
本発明の別の実施例によれば、上記サーバーは、上記第１グループ及び第２グループの記憶装置に電気的に接続されるマザーボードを更に備える。
【００１３】
本発明は、ケースと、トレー装置と、を備えるサーバーを提供する。ケースは、一対の上部レール、及び内壁に位置する一対の下部レールを有する。トレー装置は、上記一対の上部レール及び上記一対の下部レールに摺動可能に連結され、更に、選択的にケースに対して取り出し方向に沿って第１の取り出し位置に摺動し、又は引き戻し方向に沿って第１の引き戻し位置に摺動するように第１グループの記憶装置を載置する第１の載置部と、第２グループの記憶装置を載置する第２の載置部と、を含む。第１の載置部が第１の取り出し位置に位置し、且つ第２の載置部が第２の取り出し位置に位置する場合、トレー装置が展開状態になる。トレー装置が展開状態になる場合、第１及び第２の載置部の全体がケース外に位置し、第１の載置部と第２の載置部の間の距離が第２グループの記憶装置の長さより大きいため、補修者は、第１の載置部と第２の載置部の間で第１グループの記憶装置の交換を行うことができる。第１の載置部が第１の引き戻し位置に位置し、且つ第２の載置部が第２の引き戻し位置に位置する場合、トレー装置が収納状態になる。トレー装置が収納状態になる場合、第１の載置部及び第２の載置部の全体が、ケース内に位置し、最も省スペースで収納する。
【図面の簡単な説明】
【００１４】
【図１】本発明の一実施例に係るサーバーのトレー装置の収納状態を示す斜視図である。
【図２】本発明の一実施例に係るトレー装置の取り出し過程の連続動作を示す模式図である。
【図３】本発明の一実施例に係るトレー装置の取り出し過程の連続動作を示す模式図である。
【図４】本発明の一実施例に係るトレー装置の展開状態を示す斜視図である。
【図５】図４における領域Ａの上部連結側板と摺動ロッドを示す部分拡大断面図である。
【図６】本発明の一実施例に係るトレー装置の引き戻し過程を示す模式図である。
【発明を実施するための形態】
【００１５】
以下、図面及び詳しい説明に基づいて、本発明の精神を明瞭に説明する。当業者であれば、本発明の好適な実施例を理解する上で、本発明の教示した技術によって、本発明の精神と範囲から逸脱せずに、変更や修正を加えることができる。
【００１６】
従来のサーバーにおけるハードディスクの増加につれて体積が大きくなりすぎるという問題を解決するために、本発明は、上記問題を効果的に改善した、トレー装置を有するサーバーを提供する。図１及び図４を参照されたい。図１は、本発明の一実施例に係るサーバーのトレー装置の収納状態を示す模式図である。図４は、本発明の一実施例に係るトレー装置の展開状態を示す斜視図である。本発明は、ケース１０１と、トレー装置１４０と、を備えるサーバー１００を提供する。ケース１０１は、一対の上部レール１２０、及びケース１０１の内壁に位置する一対の下部レール１３０を有する。トレー装置１４０は、第１グループの記憶装置１７０を載置する第１の載置部１５０と、第２の載置部１６０と、を含む。第１の載置部１５０は、一対の上部レール１２０及び一対の下部レール１３０に摺動可能に連結され、更に、選択的にケース１０１に対して取り出し方向３００に沿って第１の取り出し位置に摺動し、又は引き戻し方向３１０に沿って第１の引き戻し位置に摺動する。
【００１７】
上記第１の取り出し位置及び第１の引き戻し位置は、第１の載置部１５０がケース１０１に対応する位置である。第１の載置部１５０が第１の取り出し位置に位置する場合、第１の載置部１５０全体がケース１０１外に位置する。第１の載置部１５０が第１の引き戻し位置に位置する場合、第１の載置部１５０全体がケース１０１内に位置する。第２の載置部１６０は、第２グループの記憶装置１８０を載置するものである。第２の載置部１６０は、第１の載置部１５０に摺動可能に連結され、更に、選択的に第１の載置部１５０に対して取り出し方向３００に沿って第２の取り出し位置に摺動し、又は引き戻し方向３１０に沿って第２の引き戻し位置に摺動する。上記第２の取り出し位置及び第２の引き戻し位置は、第２の載置部１６０が第１の載置部１５０に対応する位置である。第２の載置部１６０が第２の取り出し位置に位置する場合、第２の載置部１６０全体がケース１０１外に位置し、第１の載置部１５０と第２の載置部１６０の間の距離ｄ１が、第１グループの記憶装置１７０又は第２グループの記憶装置１８０の長さＬより大きい。第１グループの記憶装置１７０と第２グループの記憶装置１８０は、同じ記憶装置であるため、同じ長さＬを有する。
【００１８】
第１の載置部１５０が第１の取り出し位置に位置し、且つ第２の載置部１６０が第２の取り出し位置に位置する場合、トレー装置１４０が展開状態になる。トレー装置１４０が展開状態になる場合、第１及び第２の載置部１５０、１６０の全体がケース１０１外に位置し、第１の載置部１５０と第２の載置部１６０の間の距離ｄ１が、第１グループの記憶装置１７０又は第２グループの記憶装置１８０の長さＬより大きい。第１グループの記憶装置１７０と第２グループの記憶装置１８０は、同じ記憶装置であるため、同じ長さＬを有する。第１の載置部１５０が第１の引き戻し位置に位置し、且つ第２の載置部１６０が第２の引き戻し位置に位置する場合、トレー装置１４０が収納状態になる。トレー装置１４０が収納状態になる場合、第１及び第２の載置部１５０、１６０の全体がケース１０１内に位置し、第１の載置部１５０と第２の載置部１６０の間の距離ｄ２が、第１グループの記憶装置１７０の長さＬより小さい。第１グループの記憶装置１７０と第２グループの記憶装置１８０は、同じ記憶装置であるため、同じ長さＬを有する。
【００１９】
図２及び図３は、本発明の一実施例に係るトレー装置の取り出し過程の連続動作を示す模式図である。補修者は、トレー装置１４０の他の物品を補修し、又は第２の載置部１６０をメンテナンスしようとする場合、第２の載置部１６０を取り出し方向３００に沿って引き出し、この時、第２の載置部１６０が第１の載置部１５０に対して第２の取り出し位置に位置し、図２に示されるような状態になる。補修者は、第２の載置部１６０の後側の部品を補修し、又は第１の載置部１５０の第１グループの記憶装置１７０を交換しようとする場合、更に、取り出し方向３００に沿って第２の載置部１６０を引き出し、この時、第２の載置部１６０が第１の載置部１５０を連動して共に前向きに摺動して、第１の載置部１５０がケース１０１の辺縁と揃って、図３に示されるような状態になる。
【００２０】
図４は、本発明の一実施例に係るトレー装置の展開状態を示す斜視図である。補修者は、更に第１の載置部１５０の後側の物品、例えば冷却ファン１９０を補修しようとする場合、第２の載置部１６０を取り出し方向３００に沿って更に引き出し、第２の載置部１６０が第１の載置部１５０を連動して前向きに第２の取り出し位置に摺動させる。この時、トレー装置１４０が展開状態になる。第１及び第２の載置部１５０、１６０の全体がケース１０１外に位置し、第１の載置部１５０と第２の載置部１６０の間の距離ｄ１が第１グループの記憶装置１７０又は第２グループの記憶装置１８０の長さＬより大きいため、補修の場合、第１の載置部１５０と第２の載置部１６０の間のスペースを介して第１グループの記憶装置１７０を交換することができる。本発明の別の実施例によれば、第１の載置部１５０は、１列の冷却ファン１９０を有し、第１の載置部１５０が第１の取り出し位置に位置する場合に、冷却ファン１９０がケース１０１の辺縁と揃う。
【００２１】
本発明の別の実施例によれば、第１及び第２の載置部のそれぞれは、複数の収納溝２００を含む。第１グループ及び第２グループの記憶装置１７０、１８０は、対応する収納溝２００の中に抜き取り可能に収納される。第１の載置部１５０と第２の載置部１６０のそれぞれの摺動方向３３０は、互いに平行である。第１グループ及び第２グループの記憶装置１７０、１８０が対応する収納溝２００に対する抜き取り方向３２０は、第１及び第２の載置部１５０、１６０がケース１０１に対する摺動方向３３０と互いに平行である。第１グループ及び第２グループの記憶装置１７０、１８０は、３.５インチ又は２.５インチのソリッドステートディスク又はハードディスクである。第１グループ及び第２グループの記憶装置１７０、１８０が３.５インチのハードディスクである場合、第１及び第２の載置部１５０、１６０は、それぞれ１２個のハードディスクを収納することができる。第１グループ及び第２グループの記憶装置１７０、１８０が２.５インチのハードディスクである場合、第１及び第２の載置部１５０、１６０は、それぞれ２４個のハードディスクを収納することができる。
【００２２】
図４及び図５を参照されたい。図５は、図４における領域Ａの上部連結側板と摺動ロッドを示す局部拡大断面図である。第１の載置部１５０は、上部レール１２０に摺動可能に連結される一対の上部連結側板２１０、及び下部レール１３０に摺動可能に連結される一対の下部連結側板２２０を有する。第２載置部１６０は、上部連結側板２１０に摺動可能に連結される一対の摺動ロッド２３０、及び下部連結側板２２０の内側に摺動可能に連結される一対の内側レール２４０を有する。摺動ロッド２３０は、ストリップスロット２５０を有し、上部連結側板２１０のネジ２６０がストリップスロット２５０内で摺動しており、第２の載置部１６０が第２の取り出し位置に位置する場合、ネジ２６０が、ストリップスロット２５０の一端に突き当たる。従って、補修者が取り出し方向３００に沿って第２の載置部１６０を引き出す場合、第１の載置部１５０は、摺動ロッド２３０に連動して取り出される。
【００２３】
図６及び図１を参照されたい。図６は、本発明の一実施例に係るトレー装置の引き戻し過程を示す模式図である。補修者は、補修動作を完成すると、第２の載置部１６０を引き戻し方向３１０に沿って摺動し、図６に示すような態様になる。第２の載置部１６０は、引き戻し方向３１０に沿って摺動し続けることで、第１及び第２の載置部１５０、１６０の全体がケース１０１に引き戻されるまで、第１の載置部１５０を連動して、同様に引き戻し方向３１０に沿って第１の載置部１５０を摺動させ、図１に示すような態様にする。この場合、トレー装置１４０が収納状態になり、サーバー１００が最も省スペースの状態になる。サーバー１００は、第１グループ及び第２グループの記憶装置１７０、１８０に電気的に接続されるマザーボード２７０を更に備え、また、マザーボード２７０によって第１グループ及び第２グループの記憶装置１７０、１８０を制御する。
【００２４】
本発明は、ケースと、トレー装置と、を備えるサーバーを提供する。ケースは、一対の上部レール、及び内壁に位置する一対の下部レールを有する。トレー装置は、上部レール及び下部レールに摺動可能に連結され、更に、選択的にケースに対して取り出し方向に沿って第１の取り出し位置に摺動し、又は引き戻し方向に沿って第１の引き戻し位置に摺動するように第１グループの記憶装置を載置する第１の載置部と、第２グループの記憶装置を載置する第２の載置部と、を含む。第１の載置部が第１の取り出し位置に位置し、且つ第２の載置部が第２の取り出し位置に位置する場合、トレー装置が展開状態になる。トレー装置が展開状態になる場合、第１及び第２の載置部の全体がケース外に位置し、第１の載置部と第２の載置部の間の距離が第２グループの記憶装置の長さより大きいため、補修者は、第１の載置部と第２の載置部の間で第１グループの記憶装置の交換を行うことができる。第１の載置部が第１の引き戻し位置に位置し、且つ第２の載置部が第２の引き戻し位置に位置する場合、トレー装置が収納状態になる。トレー装置が収納状態になる場合、第１及び第２の載置部の全体がケース内に位置し、最も省スペースで収納される。
【符号の説明】
【００２５】
１００  サーバー
１０１  ケース
１２０  上部レール
１３０  下部レール
１４０  トレー装置
１５０  第１の載置部
１６０  第２の載置部
１７０  第１グループの記憶装置
１８０  第２グループの記憶装置
１９０  冷却ファン
２００  収納溝
２１０  上部連結側板
２２０  下部連結側板
２３０  摺動ロッド
２４０  内側レール
２５０  ストリップスロット
２６０  ネジ
２７０  マザーボード
３００  取り出し方向
３１０  引き戻し方向
３２０  抜き取り方向
３３０  摺動方向
Ｌ  長さ
ｄ１、ｄ２  距離
Ａ  領域
【図１】
2015135654.tif 000003
【図２】
2015135654.tif 000004
【図３】
2015135654.tif 000005
【図４】
2015135654.tif 000006
【図５】
2015135654.tif 000007
【図６】
2015135654.tif 000008